(57)【要約】【課題】本発明は、首掛けラベルを容器の首部に装着した際に該首部において強固に固定され、回転したりずれたりすることが回避されると共に、容器の首部への装着・離脱が容易で、装着・取り外し時に破損し難い首掛けラベルを提供する。【解決手段】容器１の首部２に挿通させる挿通孔がシート片に形成された首掛けラベル５Ａであって、挿通孔の周縁部１２には、該挿通孔からシート片の外方へ向い、周縁部１２を分断する切れ目８が形成されていることを特徴とする。【選択図】図１
2011042386.tif 000002
【特許請求の範囲】
【請求項１】
容器の首部に挿通させる挿通孔がシート片に形成された首掛けラベルであって、
前記挿通孔の周縁部には、該挿通孔からシート片の外方へ向い、該周縁部を分断する切れ目が形成されていることを特徴とする首掛けラベル。
【請求項２】
請求項１に記載の首掛けラベルにおいて、
前記切れ目は、前記シート片の外周線又はその接線に対して斜めに交差する方向に形成されていることを特徴とする首掛けラベル。
【請求項３】
請求項１又は２に記載の首掛けラベルにおいて、
前記周縁部には、前記切れ目の両側部において挿通孔からシート片の外方に向かって形成された切込みが形成されていることを特徴とする首掛けラベル。
【請求項４】
請求項１から３のいずれかに記載の首掛けラベルにおいて、
前記シート片の外縁部には、前記切れ目の外端部に連続して形成された切欠部が形成されていることを特徴とする首掛けラベル。
【請求項５】
請求項１から４のいずれかに記載の首掛けラベルにおいて、
前記挿通孔を形成する内周縁は、少なくとも前記切れ目の周辺部が挿通孔の内方に対して凹凸を繰り返す形状とされていることを特徴とする首掛けラベル。
【請求項６】
請求項１から５のいずれかに記載の首掛けラベルにおいて、
前記切れ目は、僅かな隙間をもって形成されていることを特徴とする首掛けラベル。
【請求項７】
請求項１から６のいずれかに記載の首掛けラベルが、首部に装着されていることを特徴とする容器。
【発明の詳細な説明】
【技術分野】
【０００１】
本発明は、各種容器に装着して諸情報を表示するための首掛けラベル及び首掛けラベルが装着された容器に関する。
【背景技術】
【０００２】
一般に、シャンプー、リンス等のトイレタリー製品、調味料等の食品、乳液等の化粧品、清涼飲料水や酒類等について、商品のＰＲやキャンペーン、くじ、レシピ紹介を行う場合には、店頭陳列時に消費者の注意を喚起してその広告効果を高めるために、商品名、特徴、キャッチフレーズ、その他の情報を表示した首掛けラベルを容器等の首部に装着することが頻繁に行われている。
【０００３】
この種の首掛けラベルには、紙や樹脂製のシートに形成された挿通孔に容器の首部を挿通させて掛止し、該シートに表示された情報を消費者に見せることができるようにしているものがあり、かかる従来の首掛けラベルとしては、特許文献１又は特許文献２に開示されたものが知られている。
【０００４】
特許文献１に開示された首掛けラベルは、図６に示すように、容器１０１の首部１０２の径よりも大径かつ容器本体１０３よりも小径に形成された挿通孔１０４と、情報表示部１０５とを備えた帯状のシート材１０６により形成されている。この首掛けラベル１００は、挿通孔１０４に容器１０１の首部１０２を挿通して容器１０１に掛止し、情報表示部１０５を消費者によく見える方向に向けて店頭に陳列される。
【０００５】
また、図７に示すように、特許文献２に開示された首掛けラベル２００は、容器２０１の首部２０２よりもやや小径の挿通孔２０３が備えられた１枚のシート材２０４により形成されており、このシート材２０４の挿通孔２０３の周縁部２０３ａには、その全周に亘って径方向に延びる切込み２０５、２０５・・が形成されている。この首掛けラベル２００は、挿通孔２０３が容器２０１の首部２０２よりもやや小さい径とされているので、挿通孔２０３及び切込み２０５、２０５・・が首部２０２によりやや押し広げられながら該首部２０２を挿通させ固定される。
【先行技術文献】
【特許文献】
【０００６】
【特許文献１】特開２０００−２２７７５８号公報
【特許文献２】特開平１０−２７８１３９号公報
【発明の概要】
【発明が解決しようとする課題】
【０００７】
ところで、これらのような首掛けラベル１００、２００は、消費者によるアイキャッチ効果を高めて情報内容を効果的に提示することが目的であるため、容器１０１、２０１に装着されて店頭に陳列された際には、アピールしたい各種情報が掲載された情報表示部１０５や首掛けラベル２００の周縁部２０３ａを消費者に向けて設置しておくことが好ましい。
【０００８】
また、首掛けラベル１００、２００は、通常のキャップが緊締される容器の他に、ポンプ式のキャップが緊締される容器や、マスコット形状のキャップが緊締される容器などにも用いられ得るものである。
【０００９】
さらに、商品が消費者に選択された後は、該首掛けラベル１００、２００は、キャンペーン、くじ、レシピ情報が掲載されているために消費者に一時的に保存されるか、商品ＰＲなどの目的を達成し終えて不要なものとなるため、商品の使用時には取り外されるものである。
【００１０】
しかし、特許文献１に開示された首掛けラベル１００によると、挿通孔１０４が容器１０１の首部１０２よりも大径とされているため、人の手や物に接触するだけで首掛けラベル１００が容器１０１の首部１０２において容易に回転してしまい、首掛けラベル１００を装着した容器１０１の店頭への陳列時に情報表示部１０５を消費者側に向けて設置しても、その状態を維持しておくことが困難であるという問題があった。また、その結果、情報表示機能が発揮しにくくなるという問題があった。
【００１１】
また、特許文献１及び２の首掛けラベル１００、２００によると、挿通孔１０４、２０３がその周縁部２０３ａ等により閉じた構成とされており、シート材１０６、２０４の外方へ向けて拡開し得ないので、必ず容器１０１、２０１の頭部又は先端部より挿通しなければならず、ポンプ式のキャップやマスコット形状をしたキャップ等、形状が複雑でキャップの寸法が首部よりも大きい等の場合には、首掛けラベル１００、２００に挿通し難く、又は、挿通時に挿通孔１０４、２０３が裂けてしまいやすいという問題があった。
【００１２】
また、特許文献２の首掛けラベル２００によると、挿通孔２０３の径が首部２０２の径よりもやや小さく形成されているので、挿通孔２０３の周縁部２０３ａが全周に亘って首部２０２に付勢しながら装着される。したがって、首掛けラベル２００は、容器２０１の首部２０２において堅固に保持されるが、首掛けラベル２００を容器２０１から取り外し難いという問題があった。また、堅固に装着されていることよって、取り外し時に首掛けラベル２００が破れてしまい情報提供機能が害されたり、破れた破片を散らかしたりしてしまうという問題があった。
【００１３】
本発明は上記事情に鑑みてなされたものであり、首掛けラベルを容器の首部に装着した際に該首部において強固に固定され、回転したりずれたりすることが回避されると共に、容器の首部への装着・離脱が容易で、装着・取り外し時に破損し難い首掛けラベルを提供することを目的とする。
【課題を解決するための手段】
【００１４】
上記目的を達成するために、この発明は以下の手段を提供している。
請求項１の発明は、容器の首部に挿通させる挿通孔がシート片に形成された首掛けラベルであって、前記挿通孔の周縁部には、該挿通孔からシート片の外方へ向い、該周縁部を分断する切れ目が形成されていることを特徴とする。
請求項２の発明は、前記切れ目は、前記シート片の外周線又はその接線に対して斜めに交差する方向に形成されていることを特徴とする。            
請求項３の発明は、前記周縁部には、前記切れ目の両側部において挿通孔からシート片の外方に向かって形成された切込みが形成されていることを特徴とする。            
請求項４の発明は、前記シート片の外縁部には、前記切れ目の外端部に連続して形成された切欠部が形成されていることを特徴とする。
請求項５の発明は、前記挿通孔を形成する内周縁は、少なくとも前記切れ目の周辺部が挿通孔の内方に対して凹凸を繰り返す形状とされていることを特徴とする。
請求項６の発明は、前記切れ目は、僅かな隙間をもって形成されていることを特徴とする。
請求項７の発明は、本発明による首掛けラベルが首部に装着されている容器であることを特徴とする。
【発明の効果】
【００１５】
請求項１に記載の首掛けラベルによれば、挿通孔の周縁部に該周縁部を分断する切れ目が形成されているため、挿通孔の大きさを首部よりもやや小さく形成し挿通孔の周縁部を切れ目付近で拡開させた状態で首部に装着し、拡開した周縁部をキャップ側壁に付勢させた状態で係合させることが出来る。したがって、首掛けラベルを容器の首部に堅固に固定することができ、該首掛けラベルが容器の首部において回転したりずれたりしてしまうことを防止することが出来るという効果を奏する。
また、挿通孔の周縁部が切れ目において拡開し得るので、ポンプ式のような複雑な形状のキャップを有する容器等、容器の頭部から首掛けラベルを挿通することが容易でない場合であっても、首掛けラベルの装着又は離脱が容易で、かつ、首掛けラベルを破損させにくいため、綺麗な状態で首掛けラベルを装着・離脱することができるという効果を奏する。したがって、首掛けラベルが取り外された後も、引き続き好適に情報提供をなしえ、また、破片が生じたりし難いため、処分しやすいという効果が得られる。
請求項２に記載の首掛けラベルによれば、切れ目がシート片の外周線又はその接線に対して斜めに交差する方向に形成されているため、容器の首部をシート片の挿通孔に側方から挿通する場合に、分断された周縁部の一方により容器の首部が挿通孔に向かって案内されやすくなり、分断された周縁部の他方が首部に当接しても該首部の形状に沿って弾性変形してめくれやすくなる。したがって、首掛けラベルを容器の首部の側方から装着しやすいという効果を奏する。
請求項３に記載の首掛けラベルによれば、切れ目において周縁部が拡開しつつキャップ側壁に対して立ち上がった状態で首掛けラベルが装着された場合に、切れ目両側部の切込みによって周縁部が立ち上がりやすくなり、かつ、立ち上がり時に根元部で周縁部が裂けてしまうことを防止することができるという効果を奏する。
請求項４に記載の首掛けラベルによれば、該首掛けラベルを側方から挿通させる場合に、首部が切れ目の外端部に連続して形成された切欠部によって挿通孔に案内されやすくなり、首掛けラベルを装着しやすいという効果を奏する。
請求項５に記載の首掛けラベルによれば、切れ目の周辺部において形成された凹凸を繰り返す形状がキャップの側壁において係合するため、首掛けラベルの装着時に該首掛けラベルをより回転しにくくすることができるという効果を奏する。
請求項６に記載の首掛けラベルによれば、切れ目により分断された周縁部の一方の端部と他方の端部との間に僅かな隙間が形成されているため、首掛けラベルを装着しやすいという効果を奏する。
請求項７に記載の容器によれば、該容器に装着された首掛けラベルが消費者に触れられたり他の物と接触したりしても、首掛けラベルの装着時の位置から回転し難く、首掛けラベルの取外しが簡単にできるという効果を奏する。
【図面の簡単な説明】
【００１６】
【図１】は、本発明の第１の実施形態として示した首掛けラベルの使用状態を示す斜視図である。
【図２】は、本発明の第１の実施形態として示した首掛けラベルの使用前の状態を示す図である。
【図３】は、本発明の第２の実施形態として示した首掛けラベルの使用前の状態を示す図である。
【図４】は、本発明の第３の実施形態として示した首掛けラベルの使用前の状態を示す図である。
【図５】は、本発明の第４の実施形態として示した首掛けラベルの使用前の状態を示す図である。
【図６】は、従来の首掛けラベルの使用状態を示す図である。
【図７】は、従来の首掛けラベルの使用状態を示す図である。
【発明を実施するための形態】
【００１７】
以下、図面を参照して本発明の実施の形態を説明する。
図１は、本発明による首掛けラベルの使用状態を示す図であり、図２は同首掛けラベルの使用前の状態を示す図である。
【００１８】
ここで説明する首掛けラベルは、図１に示すように、商品のＰＲ広告やキャンペーン等の各種情報を記載して、消費者の注意を喚起しつつ情報提供するためのものであり、シャンプー、リンス等のトイレタリー製品等が充填された容器１の首部２に装着される。
【００１９】
図１に示すように、容器１は、液体等を充填する容器本体３の上部にポンプ式のキャップ４を緊締してなるものである。この容器１の容器本体３は、断面が略円形とされており、容器本体３の上部において、キャップ４に向かって断面の寸法が漸次すぼんだ肩部３ａが形成されている。この肩部３ａの中央には、外周面に雄螺子部（不図示）が形成され上方に向かって開口した断面円形の首部２が連設されている。
【００２０】
ポンプ式のキャップ４は、内周面に雌螺子部（不図示）が形成された有底円筒形状の螺合部４ａと、パイプ部４ｂと、注出口４ｄを有するポンプ部４ｃとから構成されている。  
螺合部４ａの上底には、孔４ｅが形成されており、この孔４ｅからパイプ部４ｂ、ポンプ部４ｃが連結されており、また、螺合部４ａの外周面には、環状方向に繰り返された凹凸形状が形成されている。
【００２１】
図２に示すように、首掛けラベル５Ａは、略矩形に形成されたシート片６の外周線の短辺の一を成す辺６ａ寄りに形成された挿通孔７と、短辺の他辺６ｂ寄りに設けられた情報表示部１０と、挿通孔７からシート片６の外方へ向かって延びる切れ目８と、切れ目８の近傍に形成された切込み９、９と、情報表示部１０を下方に連設させる折曲線１１とから構成されている。
【００２２】
シート片６は、角部ｓ、ｔ、ｕ、ｖが円弧を描くようにして形成され、角張らないようにされている。
【００２３】
挿通孔７は、首掛けラベル５Ａの幅方向中心線Ｌ上に中心点Ｍを有する首部２が配置される孔として形成されたものであり、Ｕ字状に形成された内周縁７ａと、該内周縁７ａの両端を結び外周線の辺６ａに平行に延びた直線からなる内周縁７ｂとにより形成されている。図２において、符号２は、挿通孔７に対する首部２の位置を示している。
【００２４】
この図に示すように、内周縁７ａは、Ｕ字状とされており、情報表示部１０寄り部分が首部２と略同一の曲率半径をもつ円弧状に形成されている。
内周縁７ｂは、首部２の中心点Ｍを基準として、中心線Ｌ上の半径ｒより小さい寸法となる位置で中心線Ｌと交叉している。すなわち、内周縁７ｂと切れ目８との交叉点である内端８ａと中心Ｍを基準に該内端８ａに対向する内周縁７ａ上の点７ｐとの間の寸法は、首部２の断面円径よりも小となるように形成されており、この構成において、首部２の側面の一部が内周縁７ｂよりも外方に位置することになる。
【００２５】
切れ目８は、挿通孔７の内周縁７ｂの中心から外周線６ａに直交する方向に延び、挿通孔７の周縁部１２を２つに分断し得るように形成されている。
【００２６】
切込み９、９は、切れ目８の両側部であって挿通孔７の内周縁７ｂの両端部から角部ｓ、ｖに至るまでの中間部に延伸するように形成されている。その延伸寸法は、図１に示すように、切れ目８を拡開させて、周縁部１２をキャップ４の側面に沿って立ち上がらせることができ、周縁部１２を立ち上げる際の支点となる根元部、すなわち内周縁７ｂの端部において周縁部１２が裂けてしまわない程度の寸法とされている。
【００２７】
シート片６の外周線の辺６ａに対向する外周線の辺６ｂ側には、商品のＰＲやキャンペーン等の各種情報が印刷される情報表示部１０が形成されている。
この情報表示部１０は、商品が店頭に陳列された際に消費者の側を向くように折曲線１１において下方に向くように形成されている。
【００２８】
この首掛けラベル５Ａに用いられるシート片６の材質としては、紙、合成紙、ポリプロピレン、ポリエチレンなどのポリオレフィン系、ポリエチレンテフタレート等のポリエステル系、ポリスチレン系、ポリアミド系等の可撓性ある合成樹脂性シート等が好適に採用され得る。
【００２９】
次に、首掛けラベル５Ａの容器１への装着方法について説明する。
首掛けラベル５Ａを容器１の首部２に装着するにあたっては、首掛けラベル５Ａの挿通孔７にキャップ４のポンプ部４ｃの注出口４ｄから挿通し、情報表示面１０を商品の所望の方向に向かせて、挿通孔７を螺合部４ａの上方に位置させ首掛けラベル５Ａのシート片６を水平に保持する（図１において二点鎖線で示した状態）。その上で、内周縁７ａを螺合部４ａの側面に沿わせながら、シート片６を下方に移動させ、内周縁７ａを螺合部４ａの下端の首部２に係止させ、情報表示部１０が正面を向くように、折曲線１１で下方に折り曲げる。
【００３０】
このようにして、首掛けラベル５Ａを螺合部４ａの上方に位置させた場合には、首掛けラベル５Ａと螺合部４ａとの位置関係は次のとおりとなる。すなわち、挿通孔７の内周縁７ｂは、首部２の中心点Ｍを基準として、中心線Ｌ上の半径ｒより小さい寸法となる位置で中心線Ｌと交叉している。内周縁７ｂと切れ目８との交叉点である内端８ａと中心Ｍを基準に該内端８ａに対向する内周縁７ａ上の点７ｐとの間の寸法は、首部２の断面円径よりも小となるように形成されており、首部２の側面の一部が内周縁７ｂよりも外方に位置することになる。したがって、首掛けラベル５Ａを首部２に係止させた場合に、キャップ４の螺合部４ａの一部の側面が挿通孔７からはみ出てしまい、該螺合部４ａが切れ目８において周縁部１２を押し広げながら首掛けラベル５Ａに挿通されることになる。これによって、周縁部１２は、切れ目８において拡開し螺合部４ａの側面に沿って立ち上がり、内周縁７ｂが螺合部４ａの側壁に付勢しながら係合することになる。
【００３１】
上記のようにして形成された首掛けラベル５Ａによると、内周縁７ａにおいては首部２にしっくりと嵌合し、内周縁７ｂ側の周縁部１２は、キャップ４の側面に立ち上がって付勢しながら係合することができる。したがって、首掛けラベル５Ａは、内周縁７ａ、７ｂの全周において首部２に堅固に固定され、首部２において回転することなく装着時の位置に保持されることができるという効果が得られる。
【００３２】
また、首掛けラベル５Ａは、周縁部１２においてこれを分断させる切れ目８を有しているため、該切れ目８を上下又は左右に拡開することでキャップの形状に柔軟に沿うことができ、キャップ４の上方又は側方から首掛けラベル５Ａを破損等させることなく容易に装着することができるという効果が得られる。したがって、ポンプ部４ｃを有するような挿通しにくい形状のキャップ４を有する容器１であっても、該ポンプ部４ｃの形状に左右されることなく、首掛けラベル５Ａを螺合部４ａ上方又は側方から容易に装着することができるという効果が得られる。
【００３３】
また、切れ目８は、外周線６ａに直交する方向に形成されているため、分断された左右の周縁部１２が均等に立ち上がって同じ圧で螺合部４ａに付勢・係合し、一方向に回転しにくいという効果が得られる。また、周縁部１２が左右対称に立ち上がり易いことから、外観的にもバランスよく装着し易いという効果が得られる。
【００３４】
また更に、情報表示部１０側を長手方向に引っ張ると、切れ目８近傍の周縁部１２が弾性変形しながら首部２に沿って拡開するので、首掛けラベル５Ａを容易に離脱させることができ、また、離脱後は、前記周縁部１２が弾性復帰して略元の形状に戻る。したがって、首掛けラベル５Ａを破損等することなく離脱させることができ、引き続き好適に情報提供機能を果たし得、又は、処分できるという効果が得られる。
【００３５】
また、切込み９、９が内周縁７ｂの両端部に形成されているため、周縁部１２が切れ目８において上下又は左右に拡開したり、キャップ４の螺合部４ａに沿って立ち上がったりする際に該弾性変形の支点となる根元部に無理な負荷がかかるのを防止し、シート片６が裂けたりするのを防止することができるという効果が得られる。
【００３６】
なお、本実施形態において、シート片６は、角部ｓ、ｔ、ｕ、ｖが円弧を描くようにして形成されたものとしているが、これに限定されるものではなく、角張ったものとされていてもよい。
【００３７】
図３は、本発明の第２の実施形態を示す図である。
図３において、図２と同一の構成については同一符号を付し、その説明を省略する。
この実施形態による首掛けラベル５Ｂにおいては、切れ目８がシート片６の外周線の辺６ａに対して斜めに交差する方向に形成されている。
【００３８】
このように、切れ目が形成されるシート片６の外周線の辺６ａに対して斜めに交差する方向に形成されていることで、図１に示す容器１の首部２を、シート片６の挿通孔７に側方から挿通する場合に、分断された周縁部１２のうち外縁側が鈍角θ１を成す一方の片１２ａにより容器１の首部２が挿通孔に案内されやすくなり、分断された周縁部１２のうち外縁側が鋭角θ２を成す他方の片１２ｂが首部２に当接しても該首部２の形状に沿って弾性変形してめくれやすくなる。したがって、首掛けラベル５Ｂを容器１の首部２の側方から挿通しやすくなるという効果が得られる。
また、上記の他に第１の実施形態と同様の作用効果が得られる。
【００３９】
本実施形態において、切れ目８は、外周線を成す直線の辺６ａに対して傾斜するように形成されているが、辺６ａが、湾曲した弧を形成してなるものである場合には、該弧の接線に対して傾斜して切れ目８を形成することにより、上記と同様の作用効果を有する首掛けラベル５Ｂとすることができる。
【００４０】
図４は、本発明の第３の実施形態を示す図である。
図４において、図２又は図３と同一の構成については同一符号を付し、その説明を省略する。
この実施形態による首掛けラベル５Ｃにおいては、切れ目８の外端８ｂ側に切欠部１５が形成されており、かつ、挿通孔７を形成する内周縁は、切れ目８の周辺部である内周縁７ｂが挿通孔７の内方に対して凹凸を繰り返す形状とされている。
切欠部１５は、切れ目８の外端部１５ａと切れ目８と交差する方向に入れた切れ目１５ｂとの間を切欠してＶ字状に形成されており、内周縁７ｂの凹凸形状は、キャップ４の螺合部４ａの側壁の凹凸形状と係合し合う程度のピッチ及び突出寸法とされている。
【００４１】
このように、切欠部１５が形成されていることにより、首掛けラベル５Ｃを容器１の側方から挿通させる場合に、首部２が切欠部１５を形成するＶ字の２辺１５ａ、１５ｂによって挿通孔７に案内されやすくなり、首掛けラベル５Ｃを装着しやすくするという効果が得られる。
また、内周縁７ｂにおける凹凸を繰り返す形状が、キャップ４の螺合部４ａの側壁面の凹凸形状と互いに係合するため、首掛けラベル５Ｃの装着時に該首掛けラベル５Ｃがより回転しにくくなるという効果が得られる。
また、上記の他に第２の実施形態と同様の作用効果が得られる。
【００４２】
本実施形態において切欠部１５はＶ字形状としたが、切欠部１５はＶ字形状に限られるものではなく、図４において二点鎖線で示すように、キャップ４の曲率に対応したくぼみ形状の切欠部１６としてもよく、又は、円滑な挿入とするために切欠部１７のような形状としてもよい。
【００４３】
図５は、本発明の第４の実施形態を示す図である。
図５において、上述の実施形態による首掛けラベル５Ａないし５Ｃと同一の構成については同一符号を付し、その説明を省略する。
この実施形態による首掛けラベル５Ｄにおいては、挿通孔７が矩形に形成されると共に、切れ目８を挟む周縁部１２ａ、１２ｂとの間には、僅かな隙間が形成されている。
【００４４】
このように、切れ目８が僅かな隙間をもって形成されていることにより、キャップ４が首部２より大きい場合であっても、周縁部１２ａ、１２ｂに過度な拡開又は根元部の弾性変形を強いることなく、円滑に首部２を挿通することができるという効果が得られる。
また、挿通孔７を矩形に形成した場合には、挿通孔７の幅方向の寸法を首部２の断面の径と略同一とし、挿通孔７の長手方向の寸法を首部２の断面の径より小さくすることで、前述した他の実施形態の作用効果と同等の効果が得られる。
【符号の説明】
【００４５】
１    容器
２    首部
５Ａ  首掛けラベル
５Ｂ  首掛けラベル
５Ｃ  首掛けラベル
５Ｄ  首掛けラベル
６    シート片
７    挿通孔
８    切れ目
９    切込み
１２  周縁部
１５  切欠部
【図１】
2011042386.tif 000003
【図２】
2011042386.tif 000004
【図３】
2011042386.tif 000005
【図４】
2011042386.tif 000006
【図５】
2011042386.tif 000007
【図６】
2011042386.tif 000008
【図７】
2011042386.tif 000009